(57)【特許請求の範囲】
【請求項１】
建築基礎の屋外側立上り面に設けられる勝手口ポーチであって、
複数の枠材を接合することにより略長方形状に形成され、相対向する一方の枠材が、前記屋外側立上り面に取付けられる上段床板フレームと、
該上段床板フレームを支持するために、相対向する他方の枠材に備えられた第１支柱と、
複数の枠材を接合することにより略Ｉ字形に形成され、相対向する一方の枠材が、前記屋外側立上り面に取付けられ、相対向する他方の枠材の一端が前記上段床板フレームに接合された下段床板フレームと、
該下段床板フレームを支持するために前記他方の枠材に備えられ、前記第１支柱より短い長さを有する第２支柱と、
前記第１支柱及び前記第２支柱の下端部に設けられた土台を具備し、
かつ、前記上段床板フレーム及び前記下段床板フレームの枠材に第１止め具を着脱自在に取付けるとともに、床板の底面に第２止め具を取付け、これら第１止め具と第２止め具を固定具で連結固定することにより、前記上段床板フレーム及び前記下段床板フレームに前記床板を取付けたことを特徴とする勝手口ポーチ。
【請求項２】
前記第１止め具が、前記枠材を挟持する挟持片と、前記固定具を挿通させる挿通孔を具備した床板固定金具であり、前記第２止め具が、前記床板の底面に埋設されたインサートナットであることを特徴とする請求項１に記載の勝手口ポーチ。
【請求項３】
前記上段床板フレーム及び下段床板フレームの上面に緩衝材を取付けたことを特徴とする請求項１または請求項２に記載の勝手口ポーチ。
【請求項４】
前記支柱は、その高さが調整可能となるように構成されていることを特徴とする請求項１乃至請求項３のいずれかに記載の勝手口ポーチ。
【請求項５】
前記床板の表面に屋外側立上り面と同様の模様が施されたことを特徴とする請求項１乃至請求項４のいずれかに記載の勝手口ポーチ。
【発明の詳細な説明】
【０００１】
【発明の属する技術分野】
本発明は、住宅の勝手口ポーチの改良に関するものである。
【０００２】
【従来の技術】
従来の勝手口ポーチ４３は、図１３に示すように、湿式工法によって勝手口Ａの下方の建築基礎Ｂと一体的に形成されており、施工の際には、建築基礎Ｂの手前の設置地盤Ｄ上に型枠を組んでコンクリートを流し込み、コンクリート硬化後に型枠を解体し、コンクリートブロックの表面にモルタル仕上げがおこなわれるようになっていた。
【０００３】
【発明が解決しようとする課題】
このように従来の勝手口ポーチ４３は、設置場所が狭いにもかかわらず湿式施工によるために施工工程が多くなり、乾燥期間を確保しなければならないという問題点があった。
また、勝手口ポーチ４３の直下にガス管や水道管を通すことが多いため、勝手口ポーチ４３が配管工事の日程に左右されて、玄関ポーチとの同時施工が困難になり、急な日程の変更に対応できずに手戻り工事が多くなるという問題点があった。
そして、手戻り工事が多くなることにより、発注原価よりもコストアップになるケースが発生するという問題点があった。
更に、勝手口ポーチ４３の設置地盤Ｄが軟弱地盤の場合には、勝手口ポーチ４３の経年的な沈下により建築基礎Ｂとの縁切れが生じるという問題点があった。
【０００４】
【課題を解決するための手段】
本発明は、前記課題に鑑みてなされたものであって、施工及び組立てを容易におこなうことができ、かつ、経年的な不具合を解決することができる勝手口ポーチを提供することを目的とするものである。
【０００５】
請求項１に記載の勝手口ポーチは、建築基礎の屋外側立上り面に設けられる勝手口ポーチであって、複数の枠材を接合することにより略長方形状に形成され、相対向する一方の枠材が、前記屋外側立上り面に取付けられる上段床板フレームと、該上段床板フレームを支持するために、相対向する他方の枠材に備えられた第１支柱と、複数の枠材を接合することにより略Ｉ字形に形成され、相対向する一方の枠材が、前記屋外側立上り面に取付けられ、相対向する他方の枠材の一端が前記上段床板フレームに接合された下段床板フレームと、該下段床板フレームを支持するために前記他方の枠材に備えられ、前記第１支柱より短い長さを有する第２支柱と、前記第１支柱及び前記第２支柱の下端部に設けられた土台を具備し、かつ、前記上段床板フレーム及び前記下段床板フレームの枠材に第１止め具を着脱自在に取付けるとともに、床板の底面に第２止め具を取付け、これら第１止め具と第２止め具を固定具で連結固定することにより、前記上段床板フレーム及び前記下段床板フレームに前記床板を取付けたことを特徴とするものである。
【０００６】
請求項２に記載の勝手口ポーチは、前記第１止め具が、前記枠材を挟持する挟持片と、前記固定具を挿通させる挿通孔を具備した床板固定金具であり、前記第２止め具が、前記床板の底面に埋設されたインサートナットであることを特徴とするものである。
【０００７】
請求項３に記載の勝手口ポーチは、前記上段床板フレーム及び下段床板フレームの上面に緩衝材を取付けたことを特徴とするものである。
【０００８】
請求項４に記載の勝手口ポーチは、前記支柱は、その高さが調整可能となるように構成されていることを特徴とするものである。
【０００９】
請求項５に記載の勝手口ポーチは、前記床板の表面に屋外側立上り面と同様の模様が施されたことを特徴とするものである。
【００１０】
【発明の実施の形態】
以下、本発明の実施の形態について図面に基づいて説明する。
本発明に係る勝手口ポーチ１は、図１、図２に示すように、勝手口Ａの下方に位置する建築基礎Ｂの屋外側立上り面Ｃに、床板フレーム２、３を取付具４にて取付け、前記床板フレーム２、３に備えられた高さ調整自在の支柱５、６を土台７に載置し、図３、図４及び図５に示すように、前記床板フレーム２、３の所定位置に第１止め具８を着脱自在に取付けるとともに、床板９に第２止め具１０を取付け、前記第１止め具８と第２止め具１０にて、前記床板９を前記床板フレーム２、３に取付けることにより構成されている。以下、更に詳細に説明する。
【００１１】
前記床板フレーム２、３は、図１に示すように、複数の断面略Ｃ字形の枠材１１、１２及び１３の開口側を内向きにして略長方形に接合されている上段床板フレーム２と、複数の断面略Ｃ字形の枠材１１、１４及び１５を接合することにより略Ｉ字形に形成されている下段床板フレーム３とにより構成されている。
前記上段床板フレーム２の一方の枠材１２及び前記下段床板フレーム３の一方の枠材１４には、図２、図６に示すように、前記建築基礎Ａの屋外側立上り面Ｂに固定するための取付孔１６が穿設されている。
なお、各々の枠材の接合は、溶接に代えて、例えばボルト等の固定具等により接合してもよい。
【００１２】
前記支柱５、６は、図１に示すように、前記上段床板フレーム２の他方の枠材１３の両端に接合される第１支柱５と、前記下段床板フレーム３の他方の枠材１５に取付けられ、かつ、前記第１支柱５より短い長さを有する第２支柱６とから構成されている。
前記第１支柱５は、図７に示すように、金属製のパイプ製の支柱本体１７と、ボルト１８と、固定ナット１９と、長さ調整用ナット２０とから構成され、前記第２支柱６は、図８に示すように、ボルト１８と、固定ナット１９と、長さ調整用ナット２０とから構成されている。
前記ボルト１８は、図７、図８に示すように、前記支柱本体１７の下部に設けられている取付片２１の取付孔２２、前記下段床板フレームの枠材１５に設けられている取付孔２３にそれぞれ挿通され、前記固定ナット１９にて前記支柱本体１７、前記枠材１５に固定されている。また、前記ボルト１８には、前記長さ調整用ナット２０が螺合しており、前記ボルト１８を螺進、螺退させて前記第１支柱５、前記第２支柱６の全体の長さを調節した後、前記長さ調整用ナット２０を締め付けて前記支柱本体１７の前記取付片２１の底面２４、前記枠材１５の底面２５に圧接するように位置決めして前記支柱本体１７、前記枠材１５が所定長さに調節されるようになっている。
【００１３】
前記床板９は、図３に示すように、略直方体のコンクリート片であり、その上面２６には、前記屋外側立上り面Ｃと同様の模様が施され、また、図４、図５に示すように、その底面２７の所定位置には、第２止め具１０として前記インサートナット２８が、そのボルト孔２９と前記底面２７とが、略同一面となるように埋設されて構成されている。
【００１４】
次に、前記勝手口ポーチ１の施工手順について説明する。
まず、勝手口Ａの下方を、図４、図９に示すように、設置地盤Ｄから３０乃至４０ｍｍ程度掘削し、その掘削面Ｅをランマー等で転圧して締め固め、前記第１支柱５、第２支柱６を載置するおおよその位置に前記土台７を載置する。
【００１５】
前記第１支柱５、第２支柱６を前記土台７に載置した後、前記上段床板フレーム２、下段床板フレーム３を前記建築基礎Ｂの屋外側立上り面Ｃに取付ける。
その取付けは、図２、図６に示すように、前記屋外側立上り面Ｃに埋設されたアンカーボルト３０に前記上段床板フレーム２、下段床板フレーム３の一方の枠材１２、１４に備えられている取付孔１６を嵌め込んだ後、前記アンカーボルト３０にナット３１を螺合することによりおこなわれる。
なお、前記アンカーボルト３０は、前記取付具４の一例であり、前記上段床板フレーム２、下段床板フレーム３を前記屋外側立上り面Ｃに好適に固定できるものであれば、これに限定されない。
【００１６】
そして、前記土台７の位置を調整し、前記第１支柱５、前記第２支柱６が確実に載置されるようにするとともに、前記上段床板フレーム２、下段床板フレーム３が略水平となるように長さ調整用ナット２０により調整をおこない、土を埋め戻す。
【００１７】
次に、図１、図４及び図５に示すように、前記上段床板フレーム２、下段床板フレーム３の枠材１２、１３、１４及び１５のリップ部３２の所定位置に、前記第１止め具８である床板固定金具３３の挟持片３４を下方から挟み込むことにより、前記リップ部３２に前記床板固定金具３３を取付ける。
【００１８】
前記床板固定金具３３は、図１０に示すように、全体が金属製の薄板からなり、中央部分に固定具３５を挿通させるための挿通孔３６を備えた本体３７と、該本体３７の一端を略直角に突設させて形成され、前記リップ部３２を挟持するための挟持片３４と、前記本体３７の他端を前記挟持片３４と同じ向きに略く字形に折曲させて形成された押え片３８とを備えている。
なお、前記床板固定金具３３は、前記第１止め具８の一例であり、前記床板フレーム２、３に好適に取付けることができれば、これに限定されない。
【００１９】
また、前記上段床板フレーム２、下段床板フレーム３の上面３９に、図１、図５に示すように、ゴム等の弾性力を有する緩衝材４０を前記床板９の４隅を支えるように貼着する。これにより、使用時における前記床板９のずれ及び破損を防止する。
【００２０】
前記床板固定金具３３を前記リップ部３２に取付けた後、図４に示すように、前記床板９の側面の破損を防ぐため、前記屋外側立上り面Ｃとの間に５ｍｍ程度の間隔Ｆを設けるとともに、図１１に示すように、前記インサートナット２８のボルト孔２９と前記床板固定金具３３の挿通孔３６とがおおよそ合致するようにして、前記床板９を前記床板フレーム２、３に載置する。
そして、前記挿通孔３６に固定具３５を挿通させ、前記インサートナット２８に螺合させることにより、前記床板９を前記床板フレーム２、３に取付ける。
なお、前述の通り、前記床板固定金具３３及び前記インサートナット２８は、それぞれ第１止め具８、第２止め具１０の一例であり、例えば、図１２に示すように、前記床板９にボルト４１を埋設し、該ボルト４１を前記床板固定金具３３の挿通孔３６に挿通させ、ナット４２を螺合させることにより取付けてもよい。
【００２１】
なお、前記勝手口ポーチ１の構造は、これに限定されるものではなく、例えば、前記下段床板フレーム３を前記上段床板フレーム２の両側に配設して両側から昇降することができるようにしてもよく、あるいは、前記上段床板フレーム２を幅方向に延長させて勝手口Ａの側方にごみ容器置き場等に利用するための載置スペースを形成させる等の変更は自由におこなえるものとする。
【００２２】
【発明の効果】
以上説明したように、本発明の請求項１によれば、勝手口の下方に位置する建築基礎の屋外側立上り面に、前記床板フレームを取付け、前記床板フレームに備えられた高さ調整自在の支柱を土台に載置し、前記床板フレームの所定位置に第１止め具を着脱自在に取付けるとともに、前記床板に第２止め具を取付け、これら第１止め具と第２止め具を固定具で連結固定することにより、前記床板を前記床板フレームに取付ける構造としているので、乾式施工が可能となり、前記勝手口ポーチの軽量化を図ることができるという利点がある。
また、配管工事の日程に左右されることがないので、手戻り工事をなくすことができるという利点がある。
そして、前記建築基礎の屋外側立上り面に、前記床板フレームを前記取付具にて取付ける構造としているので、前記建築基礎の縁切りが発生しないという利点がある。
更に、コスト面でも発注原価を超えることがないという利点がある。
【００２３】
本発明の請求項２によれば、前記第１止め具が、前記枠材を挟持する挟持片と、前記固定具を挿通させる前記挿通孔を具備した前記床板固定金具であり、前記第２止め具が、前記床板の底面に埋設された前記インサートナットであるので、施工自体が容易になり、施工業者が一人であっても施工が可能になるという利点がある。
【００２４】
本発明の請求項３によれば、前記上段床板フレーム及び前記下段床フレームの上面に前記緩衝材を取付けているので使用時の前記床板のずれ及び破損を防ぐことができるという利点がある。
【００２５】
本発明の請求項４によれば、前記支柱は高さ調整自在に構成されているので、経年的な地盤沈下等に合わせて前記支柱の高さを調整することにより、前記床板を略水平に保つことができるという利点がある。
【００２６】
本発明の請求項５によれば、前記床板の表面に前記屋外側立上り面と同様の模様が施されているので、意匠性を向上させることができるという利点がある。
【図面の簡単な説明】
【図１】本発明の実施の形態に係る勝手口ポーチの床板を取り除いた状態を示す斜視図である。
【図２】本発明の実施の形態に係る勝手口ポーチの取付手順の一例を示す一部破断斜視図である。
【図３】本発明の実施の形態に係る勝手口ポーチを示す斜視図である。
【図４】図１のＸ−Ｘ線拡大断面図である。
【図５】図４のＹ部分拡大図である。
【図６】図２のＺ部分拡大図である。
【図７】本発明の実施の形態に係る勝手口ポーチの第１支柱を示す縦断面図である。
【図８】本発明の実施の形態に係る勝手口ポーチの第２支柱を示す縦断面図である。
【図９】本発明の実施の形態に係る勝手口ポーチを示す正面図である。
【図１０】第１止め具の一例である床板固定金具を示す斜視図である。
【図１１】床板の取付手順を示す図４のＹ部分拡大図である。
【図１２】他の止め具を用いた床板の取付手順を示す図４のＹ部分拡大図である。
【図１３】従来の勝手口ポーチを示す参考図である。
【符号の説明】
１  勝手口ポーチ
２  上段床板フレーム
３  下段床板フレーム
４  取付具
５  第１支柱
６  第２支柱
７  土台
８  第１止め具
９  床板
１０  第２止め具
１１  枠材
１２、１３  一方の枠材
１４、１５  他方の枠材
２６  床板の上面
２７  床板の底面
２８  インサートナット
２９  インサートナットのボルト孔
３２  枠材のリップ部
３３  床板固定金具
３４  床板固定金具の挟持片
３５  固定具
３６  床板固定金具の挿通孔
３９  床板フレームの上面
４０  緩衝材
Ａ  勝手口
Ｂ  建築基礎
Ｃ  屋外側立上り面
Ｄ  設置地盤
Ｅ  掘削面
Ｆ  屋外側立上り面との隙間
【図１】
0003743611.tif 000002
【図２】
0003743611.tif 000003
【図３】
0003743611.tif 000004
【図４】
0003743611.tif 000005
【図５】
0003743611.tif 000006
【図６】
0003743611.tif 000007
【図７】
0003743611.tif 000008
【図８】
0003743611.tif 000009
【図９】
0003743611.tif 000010
【図１０】
0003743611.tif 000011
【図１１】
0003743611.tif 000012
【図１２】
0003743611.tif 000013
【図１３】
0003743611.tif 000014